(57)【要約】【課題】コストを削減でき、施工面にも優れ、しかも強固に形成することのできる外断熱材及び外断熱構造を提供する。【解決手段】壁パネル１と、この壁パネル１に胴縁２を介して取り付けられる外装材３との間に複数設けられる外断熱材１０は、軟質断熱材１１と、この軟質断熱材１１に設けられ、他の軟質断熱材が圧縮されてなる圧縮部材１２とを備える。そして、軟質断熱材１１に圧縮部材１２が固定されることにより、軟質断熱材１１と圧縮部材１２とが一体化され、圧縮部材１２に胴縁２が固定される。【選択図】図２
2005200924.tif 000002
【特許請求の範囲】
【請求項１】
外壁と、この外壁に胴縁を介して取り付けられる外装材との間に複数設けられる外断熱材であって、
軟質断熱材と、この軟質断熱材に設けられ、他の軟質断熱材が圧縮されてなる圧縮部材とを備え、
前記軟質断熱材に、前記圧縮部材が固定されることにより、前記軟質断熱材と前記圧縮部材とが一体化され、前記圧縮部材に前記胴縁が固定されることを特徴とする外断熱材。
【請求項２】
外壁と、この外壁に胴縁を介して取り付けられる外装材との間に複数設けられる外断熱材であって、
軟質断熱材と、この軟質断熱材に設けられ、他の軟質断熱材が圧縮されてなる圧縮部材とによって外断熱材本体が構成されており、この外断熱材本体の表面にシート材が被覆されることにより、前記軟質断熱材と前記圧縮部材とが一体化され、前記圧縮部材に前記胴縁が固定されることを特徴とする外断熱材。
【請求項３】
請求項１又は２に記載の外断熱材において、
前記軟質断熱材の繊維方向と前記圧縮部材を構成する他の軟質断熱材の繊維方向とが直交するように、前記軟質断熱材と前記圧縮部材とが一体化されていることを特徴とする外断熱材。
【請求項４】
請求項１〜３のいずれか一項に記載の外断熱材において、
前記軟質断熱材及び前記他の軟質断熱材の材料がグラスウールであることを特徴とする外断熱材。
【請求項５】
請求項１〜４のいずれか一項に記載の外断熱材が外壁に複数設けられてなる外断熱構造であって、
前記外断熱材の圧縮部材に、胴縁が前記圧縮部材に対して略平行となるように取り付けられ、前記胴縁に外装材が取り付けられていることを特徴とする外断熱構造。
【発明の詳細な説明】
【技術分野】
【０００１】
本発明は、外壁と、この外壁に胴縁を介して取り付けられる外装材との間に複数設けられる外断熱材及び外断熱構造に関する。
【背景技術】
【０００２】
住宅などの建築物において、外壁からの熱の拡散を防止する目的で設けられる外断熱構造として、複数の壁パネルの外側表面に、互いに離れて配置される複数の硬質断熱材と、これら硬質断熱材の間に設けられる通気性を有する軟質断熱材とが予め一体形成された断熱パネルが複数配置され、これら断熱パネルの外側に、複数の胴縁と、これら胴縁の外側表面に固定された板材とで形成された外装材が、硬質断熱材部分を挟んで壁パネルに釘等を用いて固定することが知られている（例えば、特許文献１参照）。
【特許文献１】特開２００３−１１９９２０号公報
【発明の開示】
【発明が解決しようとする課題】
【０００３】
しかしながら、上記断熱パネルに使用される硬質断熱材は、例えば、スタイロフォーム（商品名）等を使用しており、一般的にコストが高いという問題がある。
また、上記断熱パネルは、複数の硬質断熱材と複数の軟質断熱材とが予め一体形成されたものであるので、ある程度の大きさを有しており、１枚の壁パネルと略等しい大きさに形成されている。そのため、このように予め作製された断熱パネルは、壁パネルの大きさが異なる場合に、その壁パネルの大きさに随時変更して作製しなければならず、施工面に優れないという問題がある。
さらに、複数の硬質断熱材と複数の軟質断熱材とは、スプレー状ののり等により直接接着し固定しているが、これらをさらに強固に固定することが望まれている。
また、上記断熱パネルを構成する複数の硬質断熱材は、該硬質断熱材の外面に取り付けられる胴縁に対して略直交する方向に配置され取り付けられる。そのため、断熱パネルの外面に防水透湿シートを配置し、さらに胴縁や板材を配置して、釘等でこれらを固定する際に、胴縁の下には軟質断熱材が配置されている場合もあり、必ずしも硬質断熱材が配置されているとは限らない。そのため、釘の位置決めが困難で作業効率が悪いという問題がある。
【０００４】
本発明は、上記事情に鑑みてなされたもので、コストを削減でき、施工面にも優れ、しかも強固に形成することのできる外断熱材及び外断熱構造を提供することを課題としている。
【課題を解決するための手段】
【０００５】
上記課題を解決するために、請求項１の発明は、例えば、図１及び図２に示すように、外壁（例えば、壁パネル１）と、この外壁１に胴縁２を介して取り付けられる外装材３との間に複数設けられる外断熱材１０であって、
軟質断熱材１１と、この軟質断熱材１１に設けられ、他の軟質断熱材が圧縮されてなる圧縮部材１２とを備え、
前記軟質断熱材１１に、前記圧縮部材１２が固定されることにより、前記軟質断熱材１１と前記圧縮部材１２とが一体化され、前記圧縮部材１２に前記胴縁２が固定されることを特徴とする。
【０００６】
軟質断熱材１１や圧縮部材１２を構成する他の軟質断熱材の材料としては、例えば、グラスウールやロックウール等が挙げられる。
【０００７】
請求項１の発明によれば、軟質断熱材１１と、この軟質断熱材１１に設けられ、他の軟質断熱材が圧縮されてなる圧縮部材１２とを備え、軟質断熱材１１に圧縮部材１２が固定されることにより、軟質断熱材１１と圧縮部材１２とが一体化されているので、断熱性に優れるとともに、軟質断熱材１１及び圧縮部材１２の他の軟質断熱材によって透湿性及び通気性に優れた構造とすることができる。
また、従来と異なり、高価な硬質断熱材のかわりに軟質断熱材を圧縮した圧縮部材１２を使用しているので、大幅なコスト削減を図ることができる。
さらに、本発明では圧縮部材１２に胴縁２が固定されるので、圧縮部材１２によって胴縁２及び外装材３を確実に固定し保持することができる。
また、従来と異なり、本発明の外断熱材１０は１つの軟質断熱材１１と１つの圧縮部材１２とを備え、このような外断熱材１０が外壁１に複数設けられることから、外断熱材１０の個数を適宜変更して外壁１の外側表面に設けることによって、種々の大きさの外壁１に容易に対応することができ、施工面に優れる。
【０００８】
請求項２の発明は、例えば、図３及び図４に示すように、外壁１Ａと、この外壁１Ａに胴縁２を介して取り付けられる外装材３との間に複数設けられる外断熱材１０Ａであって、
軟質断熱材１１と、この軟質断熱材１１に設けられ、他の軟質断熱材が圧縮されてなる圧縮部材１２とによって外断熱材本体が構成されており、この外断熱材本体の表面にシート材１３が被覆されることにより、前記軟質断熱材１１と前記圧縮部材１２とが一体化され、前記圧縮部材１２に前記胴縁２が固定されることを特徴とする。
【０００９】
請求項２の発明によれば、軟質断熱材１１と、この軟質断熱材１１に設けられ、他の軟質断熱材が圧縮されてなる圧縮部材１２とによって外断熱材本体が構成されており、この外断熱材本体の表面にシート材１３が被覆されることにより、軟質断熱材１１と圧縮部材１２とが一体化されているので、断熱性に優れるとともに軟質断熱材１１及び圧縮部材１２の他の軟質断熱材によって透湿性及び通気性に優れた構造とすることができる。
また、従来と異なり、高価な硬質断熱材のかわりに軟質断熱材を圧縮した圧縮部材１２を使用しているので、大幅なコスト削減を図ることができる。
また、シート材１３によって、軟質断熱材１１と圧縮部材１２とを強固に固定することができる。
また、本発明では、圧縮部材１２に胴縁２が固定されるので、圧縮部材１２によって胴縁２及び外装材３を確実に固定し保持することができる
さらに、従来と異なり、本発明の外断熱材１０Ａは１つの軟質断熱材１１と１つの圧縮部材１２とを備え、このような外断熱材１０Ａが外壁１Ａに複数設けられることから、外断熱材１０Ａの個数を適宜変更して外壁１Ａに設けることによって、種々の大きさの外壁１Ａに容易に対応することができ、施工面に優れる。
【００１０】
シート材１３の材料としては、例えば、ガラス、不織布、レーヨン、ポリエステル等が挙げられる。
【００１１】
請求項３の発明は、例えば、図２に示すように、請求項１又は２に記載の外断熱材１０において、
前記軟質断熱材１１の繊維方向と前記圧縮部材１２を構成する他の軟質断熱材の繊維方向とが直交するように、前記軟質断熱材１１と前記圧縮部材１２とが一体化されていることを特徴とする。
【００１２】
請求項３の発明によれば、軟質断熱材１１の繊維方向と圧縮部材１２を構成する他の軟質断熱材の繊維方向とが直交するように、軟質断熱材１１と圧縮部材１２とが一体化されているので、圧縮部材１２を構成する他の軟質断熱材の繊維方向に対して直交する方向に軟質断熱材１１の荷重を受けることになり、軟質断熱材１１と圧縮部材１２とを強固に一体化することができ、強度に優れた外断熱材１０とすることができる。
【００１３】
請求項４の発明は、例えば、図１に示すように、請求項１〜３のいずれか一項に記載の外断熱材１０において、
前記軟質断熱材１１及び前記他の軟質断熱材の材料がグラスウールであることを特徴とする。
【００１４】
請求項４の発明によれば、軟質断熱材１１及び他の軟質断熱材の材料がグラスウールであるので、断熱性、吸湿性、透湿性に優れ、軽くて施工し易い。また、安価でコスト削減を図ることができる。
【００１５】
請求項５の発明は、例えば、図２に示すように、請求項１〜４のいずれか一項に記載の外断熱材１０が外壁１に複数設けられてなる外断熱構造であって、
前記外断熱材１０の圧縮部材１２に、胴縁２が前記圧縮部材１２に対して略平行となるように取り付けられ、前記胴縁２に外装材３が取り付けられていることを特徴とする。
【００１６】
請求項５の発明によれば、圧縮部材１２に胴縁２が圧縮部材１２に対して略平行となるように取り付けられ、胴縁２に外断熱材３が取り付けられているので、胴縁２や外装材３から外壁１に向けて釘やビスＢ等の止着材を打ち込む際に、胴縁２の内側には必ず圧縮部材１２が配置されていることから、胴縁２に止着材を打ち込めば良いので従来に比して止着材の位置決めが容易で、施工をスムーズに行うことができる。
また、透湿性及び通気性にも優れるとともに、断熱性にも優れた構造とすることができ、さらに、従来と異なり、高価な硬質断熱材のかわりに軟質断熱材を圧縮した圧縮部材１２を使用しているので、大幅なコスト削減を図ることができる。しかも、この圧縮部材１２によって胴縁２及び外装材３を確実に固定し保持することができる。
また、従来と異なり、外断熱材１０が外壁１の外側表面に複数設けられているので、種々の大きさの外壁１に容易に対応することができ、施工が簡単となる。
【発明の効果】
【００１７】
本発明に係る外断熱材によれば、断熱性に優れるとともに透湿性及び通気性に優れ、また、硬質断熱材のかわりに圧縮された軟質断熱材を使用することにより、大幅なコスト削減を図ることができる。
また、軟質断熱材と圧縮部材とによって構成された外断熱材本体の表面をシート材で被覆した場合には、軟質断熱材と圧縮部材とを強固に固定することができる。
さらに、胴縁及び外装材を確実に固定し保持することができる。
また、従来と異なり、外断熱材の個数を適宜変更することによって、種々の大きさの外壁に容易に対応することができ、施工面に優れる。
【００１８】
本発明に係る外断熱構造によれば、止着材の位置決めが容易で、施工をスムーズに行うことができる。また、断熱性に優れるとともに透湿性及び通気性にも優れた構造とすることができ、さらに、胴縁及び外装材を確実に固定し保持することができる。
また、従来と異なり、外断熱材が外壁の外側表面に複数設けられているので、種々の大きさの外壁に容易に対応することができ、施工が簡単となる。
【発明を実施するための最良の形態】
【００１９】
以下、本発明の実施の形態を図面に基づいて説明する。
［第１の実施の形態］
図１は、本発明に係る外断熱材の概略斜視図であり、図２は、本発明に係る外断熱構造を示す側断面図である。
【００２０】
まず、本発明に係る外断熱材の構成について、図１及び図２を参照して説明する。本実施の形態では、外断熱材１０は、例えば、外壁とされる壁パネル１と、この壁パネル１に胴縁２を介して取り付けられる外装材３との間に複数設けられるものとする。
外断熱材１０は、軟質断熱材１１と、この軟質断熱材１１に設けられ、他の軟質断熱材が圧縮されてなる圧縮部材１２とを備えている。そして、軟質断熱材１１の表面全体を被覆するシート材１３の表面（側面）に圧縮部材１２が固定されることにより、軟質断熱材１１と圧縮部材１２とが一体化され、圧縮部材１２に胴縁２が固定される。
【００２１】
軟質断熱材１１は、例えば、厚み約２５ｍｍ、高さ８５０ｍｍ、幅約１８２０ｍｍの長尺な板状部材である。
軟質断熱材１１の材料としては、例えば、グラスウールやロックウール等が挙げられる。特に、断熱性、吸湿性、透湿性に優れ、軽くて施工し易く、また、安価な点でグラスウールが好適である。
【００２２】
圧縮部材１２は、例えば、厚み約２５ｍｍ、高さ約６０ｍｍ、幅約１８２０ｍｍの長尺な板状部材で、圧縮部材１２の外側表面に設けられる胴縁２と略等しい大きさをなしている。したがって、外断熱材１０のうち、軟質断熱材１１が大部分を占めている。
また、圧縮部材１２を構成する他の軟質断熱材は、上述の軟質断熱材１１と同様にグラスウールやロックウール等を使用することができる。そして、圧縮部材１２は、このような軟質断熱材を圧縮し矩形板状に成形されている。
【００２３】
そして、軟質断熱材１１と圧縮部材１２とが、軟質断熱材１１の繊維方向と圧縮部材１２を構成する他の軟質断熱材の繊維方向とが直交するように一体化されている。
また、シート材１３の材料としては、例えば、ガラス、不織布、レーヨン、ポリエステル等が挙げられる。
【００２４】
ここで、本発明の外断熱材１０を作製するためには、例えば、袋状にされたシート材１３の中に軟質断熱材１１を充填して、矩形板状となるように形成する。そして、この軟質断熱材１１の一つの側面に接着剤等を塗布して、予め矩形板状に軟質断熱材が圧縮成形された圧縮部材１２を接着し固定することによって、軟質断熱材１１と圧縮部材１２とを一体化し外断熱材１０とする。このとき、軟質断熱材１１の繊維方向と圧縮部材１２を構成する他の軟質断熱材の繊維方向とが直交するように軟質断熱材１１に圧縮部材１２を接着する。
【００２５】
なお、外断熱材１０は上述の構成に限らず、例えば、図６に示すようにシート材１３を使用せずに軟質断熱材１１に圧縮部材１２を直接接着して固定することによって、軟質断熱材１１と圧縮部材１２とを一体化した外断熱材１０Ｂとしても良い。
その他、例えば、図７に示すように袋状にされたシート材１３の中に軟質断熱材１１と、予め他の軟質断熱材を圧縮した圧縮部材１２との両方を一緒に充填して、矩形板状となるように形成し外断熱材１０Ｃとしても良い。この方法によれば、上述の外断熱材１０を作製する方法に比べて、一度に軟質断熱材１１と圧縮部材１２とを一体化することができるため簡単に施工することができる。
【００２６】
次に、上述の構成をなした複数の外断熱材１０が壁パネル１に設けられてなる外断熱構造について説明する。
本実施の形態における建物は、パネル工法により構築されており、パネル工法とは、予め工場等で製造された木質パネルを現場で基礎に組み付けていくことにより、住宅の床、壁、屋根等を構築するものである。
【００２７】
図２に示すように、建築される建物の外周に略沿って、基礎４が構築され、基礎４の内側で地盤Ｇ上には、防湿土間コンクリート４aが打設されている。
基礎４の上端には台輪５が敷き込まれており、この台輪５の上面のうちの内側半分に、床パネル６の端部が設置され、外側半分に長尺な桟材である半土台７が設置されている。また、半土台７及び床パネル６の端部の上面に壁パネル１が設置されている。
そして、これら基礎４、台輪５、半土台７及び壁パネル１は、基礎４に予め埋設されたアンカーボルト（図示しない）がそれぞれ台輪５、半土台７、壁パネル１に挿通されて、壁パネル１の下端部に止着されることによって固定されている。
なお、床パネル６の下面全面には防蟻シート８aが貼られており、台輪５の上面と半土台７及び床パネル６の端部の下面との間には気密性を確保するためにコーキング材８bが設けられている。
【００２８】
壁パネル１は、框材を矩形状に組み立てるとともに、この矩形枠の内部に補強用の桟材を縦横に組み付けて枠体を構成し、この枠体内に軟質断熱材１aが充填され、枠体の両面に合板などの面材１bが設けられてなる。上記軟質断熱材１aとしては、例えば、グラスウールやロックウール等が挙げられる。
【００２９】
壁パネル１の外側表面には、複数の外断熱材１０が、その長手方向を横にして壁パネル１の上下方向に沿って配置され、タッカーによって仮止めされている。そして、これら複数の外断熱材１０の外側表面には、複数の胴縁２が圧縮部材１２と同じ方向（横向き）に配置され、圧縮部材１２に向けてビスＢが打ち込まれることにより固定されている。さらに、これら胴縁２の外側表面に外装材３が胴縁２に向けてビスＢが打ち込まれることにより固定されている。
また、壁パネル１の下端部と半土台７との間には、水切り９が取り付けられている。
【００３０】
以上、本発明の第１の形態の外断熱材１０によれば、軟質断熱材１１と、この軟質断熱材１１に設けられ、他の軟質断熱材が圧縮されてなる圧縮部材１２とを備え、軟質断熱材１１に設けられたシート材１３の表面に圧縮部材１２が固定されることにより、軟質断熱材１１と圧縮部材１２とが一体化されているので、断熱性に優れるとともに透湿性及び通気性に優れた構造とすることができる。
また、従来と異なり、高価な硬質断熱材のかわりに軟質断熱材を圧縮した圧縮部材１２を使用しているので、大幅なコスト削減を図ることができる。
また、シート材１３によって、軟質断熱材１１と圧縮部材１２とを強固に固定することができる。
さらに、本発明では圧縮部材１２に胴縁２が固定されるので、胴縁２及び外装材３を確実に固定し保持することができる。
また、従来と異なり、外断熱材１０が壁パネル１の外側表面に複数設けられることから、外断熱材１０の個数を適宜変更することによって、種々の大きさの壁パネル１に容易に対応することができ、施工面に優れる。
加えて、軟質断熱材１１の繊維方向と圧縮部材１２を構成する他の軟質断熱材の繊維方向とが直交するように一体化されているので、圧縮部材１２を構成する他の軟質断熱材の繊維方向に対して直交する方向に軟質断熱材１１の荷重を受けることになり、強度面においても優れる。
【００３１】
本発明の第１の実施の形態の外断熱構造によれば、圧縮部材１２に胴縁２が圧縮部材１２に対して略平行となるように取り付けられ、胴縁２に外断熱材３が取り付けられているので、胴縁２や外装材３から壁パネル１に向けてビスＢを打ち込む際に、胴縁２の内側には必ず圧縮部材１２が配置されていることから、ビスＢの位置決めが容易で、施工をスムーズに行うことができる。
【００３２】
［第２の実施の形態］
図３(a)は、本発明に係る外断熱材の斜視図、図３(b)は、本発明に係る外断熱材が２つ取り付けられた状態を示す側断面図、図４は、本発明に係る外断熱構造を示す側断面図である。
図３(a)、(b)及び図４に示すように、本発明の外断熱材１０Ａは、軟質断熱材１１と、この軟質断熱材１１に設けられ、他の軟質断熱材が圧縮されてなる圧縮部材１２とによって外断熱材本体が構成されており、この外断熱材本体の表面（すなわち、外装材１０Ａを外壁１Ａに取り付けた際に外側に当たる面）にシート材１３が被覆されることにより、軟質断熱材１１と圧縮部材１２とが一体化されている。また、シート材１３は外断熱材本体の表面からはみ出されている。
なお、この外断熱材１０Ａも第１の実施の形態の外断熱材１０と同様に、軟質断熱材１１の繊維方向と圧縮部材１２を構成する他の軟質断熱材の繊維方向とが直交している。
また、軟質断熱材１１、圧縮部材１２及びシート材１３の材料としては、上述したものと同様のものを使用することができる。
【００３３】
このような外断熱材１０Ａを作製する方法としては、例えば、軟質断熱材１１及び圧縮部材１２の表面よりも大きなシート材１３を用意しておき、まず、軟質断熱材１１の下面にシート材１３を接着して被覆した後、このシート材１３上及び軟質断熱材１１の側面に圧縮部材１２を接着し固定する。これによって、軟質断熱材１１と圧縮部材１２とが一体化されるとともに、軟質断熱材１１及び圧縮部材１２からなる外断熱材本体の表面からシート材１３がはみ出される。この方法によれば、図３(b)に示すように、外断熱材１０Ａを複数取り付けた場合に、はみ出した部分のシート材１３が、上下に隣接する外断熱材１０Ａどうしの境界に位置するため、このシート材１３によって施工時の雨水の浸入を防ぐことができる。
【００３４】
次に、上述の構成をなした複数の外断熱材１０Ａが壁パネル１Ａに設けられてなる外断熱構造について説明する。
本発明の外断熱構造は、第１の実施の形態と異なり、建物の開口部周囲を構成する壁パネル１Ａに外断熱材１０Ａを設けた場合である。
図４に示すように、複数の壁パネル１Ａにより構成された建物躯体には開口部Ｋが形成されている。これら壁パネル１Ａの外側表面には、複数の外断熱材１０Ａが、その長手方向を横にして壁パネル１Ａの上下方向に沿って配置され、タッカーによって仮止めされている。そして、これら複数の外断熱材１０Ａの外側表面には、複数の胴縁２が圧縮部材１２と同じ方向（横向き）に配置され、圧縮部材１２に向けてビスＢが打ち込まれることにより固定されている。さらに、これら胴縁２の外側表面に外装材３が胴縁２に向けてビスＢが打ち込まれることにより固定されている。
【００３５】
また、開口部Ｋを形成する内周面と壁パネル１Ａの内側表面との間に跨るように室内用化粧枠３０が設置されている。壁パネル１Ａの外側表面のうち、外断熱材１０Ａの下端部には調整材３１が設けられており、この調整材３１にサッシ枠３２が設置されている。サッシ枠３２にはサッシ３３が嵌め込まれている。
このようにサッシ枠３２を設けることにより、外装材３の上端部はサッシ枠３２より内側に位置することから水切りが不要となる。
【００３６】
なお、図５における室内用化粧枠３０Ａは、図４の室内用化粧枠３０よりも小さい場合であり、例えば、厚み９０ｍｍの壁パネル仕様である。この場合、調整材３１を設けずにサッシ枠３２が直接、開口部Ｋを形成する内周面の外側部分に設置されている。図４に示す室内用化粧枠３０は、厚み１２０ｍｍの壁パネル仕様である。
【００３７】
以上、本発明の第２の実施の形態の外断熱材１０Ａによれば、軟質断熱材１１と、この軟質断熱材１１に設けられ、他の軟質断熱材が圧縮されてなる圧縮部材１２とによって外断熱材本体が構成されており、この外断熱材本体の表面全体にシート材１３が被覆されることにより、軟質断熱材１１と圧縮部材１２とが一体化されているので、断熱性に優れるとともに軟質断熱材１１によって透湿性及び通気性に優れた構造とすることができる。
また、従来と異なり、高価な硬質断熱材のかわりに軟質断熱材を圧縮した圧縮部材１２を使用しているので、大幅なコスト削減を図ることができる。
また、シート材１３によって、軟質断熱材１１と圧縮部材１２とを強固に固定することができる。
また、本発明では、圧縮部材１２に胴縁２が固定されるので、胴縁２及び外装材３を確実に固定し保持することができる。
さらに、従来と異なり、外断熱材１０Ａが壁パネル１Ａの外側表面に複数設けられることから、外断熱材１０Ａの個数を適宜変更することによって、種々の大きさの壁パネル１Ａに容易に対応することができ、施工面に優れる。
【００３８】
本発明の第２の実施の形態の外断熱構造によれば、圧縮部材１２に胴縁２が圧縮部材１２に対して略平行となるように取り付けられ、胴縁２に外断熱材３が取り付けられているので、胴縁２や外装材３から壁パネル１Ａに向けてビスＢを打ち込む際に、胴縁２の内側には必ず圧縮部材１２が配置されていることから、ビスＢの位置決めが容易で、施工をスムーズに行うことができる。
【００３９】
なお、本発明は、上記実施の形態に限定されるものではなく、その要旨を逸脱しない範囲で適宜変更可能である。
例えば、第１の実施の形態の外断熱材１０を、第２の実施の形態のように建物の開口部周囲を構成する壁パネル１Ａに複数設けるようにしても良く、逆に、第２の実施の形態の外断熱材１０Ａを、第１の実施の形態のように基礎４上に設置された壁パネル１に複数設けるようにしても良い。
【図面の簡単な説明】
【００４０】
【図１】本発明の第１の実施の形態を示すためのもので、外断熱材の概略斜視図である。
【図２】同、外断熱構造の側断面図である。
【図３】本発明の第２の実施の形態を示すためのもので、(a)は外断熱材の概略斜視図、(b)は外断熱材の側断面図である。
【図４】同、外断熱構造の側断面図である。
【図５】同、外断熱構造の側断面図である。
【図６】その他の実施の形態を示すためのもので、外断熱材の概略斜視図である。
【図７】その他の実施の形態を示すためのもので、外断熱材の概略斜視図である。
【符号の説明】
【００４１】
１、１Ａ  壁パネル（外壁）
２  胴縁
３  外装材
１０、１０Ａ  外断熱材
１１  軟質断熱材
１２  圧縮部材
１３  シート材
【図１】
2005200924.tif 000003
【図２】
2005200924.tif 000004
【図３】
2005200924.tif 000005
【図４】
2005200924.tif 000006
【図５】
2005200924.tif 000007
【図６】
2005200924.tif 000008
【図７】
2005200924.tif 000009